(57)【要約】【課題】  インクジェット記録装置における吐出特性を補正して高品位なバーコード（例えばカスタマバーコード）を記録できるインクジェット記録装置を提供する。【解決手段】  インクを吐出可能な記録ヘッドを用いて、記録データに基づき被記録媒体上にバーコードを含む画像を記録するインクジェット記録装置において、前記被記録媒体を所定の方向に搬送する搬送手段と、前記記録データにバーコードが含まれる場合には、前記被記録媒体の搬送方向に対する前記バーコードの配列方向が、略直交方向であるか、略平行方向であるかを判別する配列方向判別手段と、前記配列方向判別手段が略平行方向であると判別した場合に、前記バーコードの記録方法を変更する制御手段と、を備えることを特徴とする。【選択図】  図７
2005022383.tif 000002
【特許請求の範囲】
【請求項１】
インクを吐出可能な記録ヘッドを用いて、記録データに基づき被記録媒体上にバーコードを含む画像を記録するインクジェット記録装置において、
前記被記録媒体を所定の方向に搬送する搬送手段と、
前記記録データにバーコードが含まれる場合には、前記被記録媒体の搬送方向に対する前記バーコードの配列方向が、略直交方向であるか、略平行方向であるかを判別する配列方向判別手段と、
前記配列方向判別手段が略平行方向であると判別した場合に、前記バーコードの記録方法を変更する制御手段と、
を備えることを特徴とするインクジェット記録装置。
【請求項２】
前記制御手段は、前記記録データを変更することを特徴とする請求項１に記載のインクジェット記録装置。
【請求項３】
前記制御手段は、さらに前記バーコードのバーを構成する記録ドットの前記バーの配列方向における配列順序に応じて、前記バーコードの記録方法を変更することを特徴とする請求項１に記載のインクジェット記録装置。
【請求項４】
前記制御手段は、前記記録ドットが前記バーの配列方向において、各バーの少なくとも先頭に配列される場合は、前記バーコードの記録方法を変更することを特徴とする請求項３に記載のインクジェット記録装置。
【請求項５】
前記制御手段は、前記記録ヘッドにより吐出されるインク量を変化させることを特徴とする請求項３または４に記載のインクジェット記録装置。
【請求項６】
前記制御手段は、前記記録ヘッドの駆動方法を変更することを特徴とする請求項３ないし５のいずれかに記載のインクジェット記録装置。
【請求項７】
前記制御手段は、前記記録ヘッドを駆動するパルス信号のパルス幅を変化させることを特徴とする請求項６に記載のインクジェット記録装置。
【請求項８】
前記パルス信号は、プレヒートパルスとメインヒートパルスとを含み、前記制御手段は、前記プレヒートパルスおよび／またはメインヒートパルスのパルス幅を変化させることを特徴とする請求項７に記載のインクジェット記録装置。
【請求項９】
前記パルス信号は、プレヒートパルスとメインヒートパルスとを含み、前記制御手段は、前記プレヒートパルスとメインヒートパルスとの間の休止時間を変化させることを特徴とする７に記載のインクジェット記録装置。
【請求項１０】
前記制御手段は、前記被記録媒体上の同一個所に吐出するインク滴数を変更することを特徴とする請求項３または４に記載のインクジェット記録装置。
【請求項１１】
前記バーコードは、カスタマバーコードを含むことを特徴とする請求項１ないし１０のいずれかに記載のインクジェット記録装置。
【請求項１２】
インクを吐出可能な記録ヘッドを用いて、記録データに基づき被記録媒体上にバーコードを含む画像を記録するインクジェット記録方法において、
前記被記録媒体を所定の方向に搬送し、
前記記録データにバーコードが含まれる場合には、前記被記録媒体の搬送方向に対する前記バーコードの配列方向が、略直交方向であるか、略平行方向であるかを判別し、
前記配列方向が略平行方向であると判別された場合に、前記バーコードの記録方法を変更する、
ことを特徴とするインクジェット記録方法。
【発明の詳細な説明】
【技術分野】
【０００１】
本発明は、記録手段から被記録材ヘインクを吐出して記録を行うインクジェット記録装置に関する。
【背景技術】
【０００２】
従来の画像記録装置としては、記録手段により種々のプリンタ、複写機等が知られている。このような記録装置は、使用する記録手段の記録方法によりインクジェット式、ワイヤドット式、感熱式、熱転写式、レーザービーム式等に分けることができる。そのうちインクジェット式は、吐出媒体としてのインクを微細なインクとして吐出するための複数の吐出口を有するインクジェット方式の液体吐出ヘッド（以下、ヘッドという）からインクを被記録媒体上に吐出して記録を行なうものであり、記録手段のコンパクト化が容易であり、高精細な画像を高速で記録することができ、ランニングコストが安く、ノンインパクト方式であるため騒音が少なく、しかも多色のインクを使用してカラー画像を記録することが容易であるなどの利点を有している。（例えば特許文献１の２頁、図５）
【０００３】
【特許文献１】特開平６‐４４３９３号公報
【発明の開示】
【発明が解決しようとする課題】
【０００４】
しかしながら、インクジェット記録装置においては、インクジェットプリンタ特有の、メインパルス印加によるインク吐出時に発生する副次的なインク液滴（以下、サテライトと呼ぶ）の吐出が、不要な画像を被記録媒体に形成してしまい、バーコード等の高品位記録が要求される記録物の印字品位を下げるだけでなく、印字されたバーコードが規格を満足出来ないという問題が生じる場合がある。
【０００５】
図３は高度の印字品質が要求されるバーコードの一つであるカスタマバーコードを説明する模式図である。
【０００６】
カスタマバーコードとは、平成１０年２月２日よりスタートした新郵便番号制度の導入に伴って採用され、住所を区分機で読み取りやすいバーコードの形で郵便物に印字し、このバーコードを読み取って道順組立作業までを機械化することを可能とするためのバーコードである。
【０００７】
図３に示すように、カスタマバーコード３０００は、上下にバーを伸ばしたロングバー３００１、上方向のみに伸ばしたセミロングバー（上）３００２、下方向のみに伸ばしたセミロングバー（下）３００３及び、タイミングバー３００４の４種類から１キャラクタが構成され、合計２３キャラクタから構成される。
【０００８】
また、バーの幅と、それぞれのバー（ロングバー、セミロングバー、タイミングバー）の長さの比率は１：３：２：１と規格化されている。印字されたバーコードは、バーの長さとバーの幅等の相対的な比率からバーコードサイズＡ（８≦Ａ≦１１．５ポイントで有効）が決定され、バーコードサイズがＡポイントである時のバー幅の有効範囲規格は（０．５０×Ａ÷１０）ｍｍ〜（０．７０×Ａ÷１０）ｍｍ、同様にバーの高さＴの有効範囲規格は（３．４０×Ａ÷１０）ｍｍ〜（３．６０×Ａ÷１０）ｍｍと厳密に規定されている。
【０００９】
次に、サテライトが形成される原理を説明する。
【００１０】
図１はインクジェット記録ヘッドノズル内に設けられた電気熱変換体に通電して、そのノズル内のインクの急激な膨張によりインク滴を吐出するプロセスを説明する図である。
【００１１】
図１（ａ）はノズル１０００にインク１００１が充満している状態を示し、図１（ｂ）は電気熱変換体１００２にエネルギーを極めて短時間だけ与えた状態を示し、この時、電気熱変換体１００２付近のインクが急激に加熱されて微小の気泡１００３が発生する。
【００１２】
次に、図１（ｃ）に示すように、インク１００１が急激に気化し、微小気泡１００３が成長する。
【００１３】
図１（ｄ）は気泡１００３が最大に膨張し、インク滴１００４が吐出口から押し出される状態を示す。
【００１４】
図１（ｅ）は電気熱変換体１００２への通電が終了して気泡１００３がインクによって急激に縮み、液状になった状態を示す。
【００１５】
図１（ｆ）はインク滴１００４が押し出されて矢印方向に飛翔する状態を示し、図１（ｇ）はインク滴１００４が主インク滴１００５と、渦状となった尾部のインク滴（サテライト）１００６とが形成された状態を示す。
【００１６】
このようなインクジェット記録方法に限らず、一般的なインクジェット記録方法であっても、インク液滴の吐出時においては、主インク滴が吐出された時の尾部がインク自身の表面張力によって小さなインク滴となり、本来の記録に必要な主インク滴とは別に、サテライトとなる。
【００１７】
このサテライトは、搬送方向に対して主液滴よりも前方向にオフセットされた位置に飛翔することが実測されている。
【００１８】
図２はこのサテライトが被記録媒体上に着弾する模様を示す模式図である。このようにサテライトは、特にバーコードの様な高品位記録が要求される記録においては、不要な画像を形成してしまうため、印字品位を下げてしまい、時には規格を満足出来ないという悪影響を及ぼす。
【００１９】
更にサテライトが印字品質に及ぼす影響はバーコードの印字方向（配列方向）によって、その度合いが異なる。すなわち図６（ａ）に示されるように、水平方向でバーコードを記録する場合は、サテライトがバーコードの印字品質に与える影響は少ない。しかしながら、図６（ｂ）に示されるように、垂直方向でバーコードを記録する場合は、サテライトがバーコードの品質に与える影響が無視できない。
【００２０】
本発明は、上記問題に鑑みてなされたもので、インクジェット記録装置における吐出特性を補正して高品位なバーコード（例えばカスタマバーコード）を記録できるインクジェット記録装置を提供することを目的とする。
【課題を解決するための手段】
【００２１】
上記課題を解決するために、本発明のインクジェット記録装置は、インクを吐出可能な記録ヘッドを用いて、記録データに基づき被記録媒体上にバーコードを含む画像を記録するインクジェット記録装置において、前記被記録媒体を所定の方向に搬送する搬送手段と、前記記録データにバーコードが含まれる場合には、前記被記録媒体の搬送方向に対する前記バーコードの配列方向が、略直交方向であるか、略平行方向であるかを判別する配列方向判別手段と、前記配列方向判別手段が略平行方向であると判断した場合に、前記バーコードの記録方法を変更する制御手段と、を備えることを特徴とする。
【発明の効果】
【００２２】
以上説明したように、本発明によれば、インクジェット記録におけるサテライトの影響を最小限に抑えるように、吐出特性を補正して記録を行うので、高品位なバーコード記録を行なうことができる。
【発明を実施するための最良の形態】
【００２３】
以下図面を参照して、本発明のインクジェット記録装置の実施形態を説明する。
【００２４】
なお、本明細書中で、水平方向とは、被記録媒体の搬送方向に対して、略直交する方向をいい、垂直方向とは、被記録媒体の搬送方向に対して、略平行な方向をいうものとする。
【００２５】
（第１の実施の形態）
図４（ａ）は本発明のインクジェット記録装置の一実施形態としてのインクジェット記録装置を示す模式図であり、図４（ｂ）はその内部構造を示す断面図である。
【００２６】
図４（ａ）において、４０００はインクジェット記録装置であり、４００１は被記録媒体を収納するためのフィーダーカバーであり、４００２は後述のヘッドステーションおよび被記録媒体の搬送部を開閉するための上部カバーであり、４００３は後述のヘッドステーションのヘッドに供給される液体としてのインクを貯蓄するためのタンク部を開閉するための前カバーであり、４００４は記録装置の電源スイッチ部であり、４００５は記録装置における操作環境の設定、変更等を行なうための操作パネルである。
【００２７】
図４（ｂ）に示されるように、本実施形態におけるヘッドステーションは、複数の記録素子を直線状に配列した長尺タイプのインクジェットラインヘッド（Ｋ，Ｃ，Ｍ，Ｙ）を被記録媒体の搬送方向に直行する方向に互いに平行に配列してなるものである。具体的には、イエローラインヘッドＹと、マゼンタラインヘッドＭと、シアンラインヘッドＣと、ブラックラインヘッドＫから構成される。この下側に位置する搬送手段である搬送ユニットＵは、フィーダーユニットＦに積載された被記録媒体Ｐａをラインヘッドによる記録位置に向けて一定の速度で搬送し、記録位置に到達すると、各ヘッド（Ｋ，Ｃ，Ｍ，Ｙ）によってインクが吐出され、被記録媒体上に画像が記録される。その後、被記録媒体ＰａはスタッカーＳ上に搬出されるように構成されている。この搬送ユニットＵの下側には、各ヘッド（Ｋ，Ｃ，Ｍ，Ｙ）に供給される専用のインクを貯蓄するタンク部Ｒが着脱自在に固定されている。
【００２８】
図５は図４に示すインクジェット記録装置の制御回路の構成を示すブロック図である。図５において、５０００はホストコンピューターなどの外部装置から入力するインターフェース、５００１は処理部のＭＰＵ，５００２は、メモリで、ＭＰＵ５００１がプログラムを読み込み、プログラムを実行する制御プログラムおよび図10に示すフローに示す制御プログラム（必要によっては文字フォントを含む）を格納するＲＯＭ，５００３は各種データ（上記記録データや記録ヘッドに供給される記録信号等）を一時的に保存しておくＤＲＡＭである。５００４は各記録ヘッドＫ，Ｃ，Ｍ，Ｙに対する記録信号の供給制御を行なうゲートアレイであり、インターフェース５０００，ＭＰＵ５００１，ＤＲＡＭ５００３間のデータの転送制御も行なう。５００８は被記録媒体搬送のための搬送モータである。５００５は各記録ヘッドＫ，Ｃ，Ｍ，Ｙを駆動するヘッドドライバ、５００６は搬送モータ５００８を駆動するためのモータドライバである。
【００２９】
上記制御回路の動作概要を説明すると、ホストコンピューター（不図示）の入力部において、ユーザーによって入力された記録データがインターフェース５０００に入ると、制御部により解析され（例えば、記録するバーコードの配列方向が水平方向であるのか、あるいは垂直方向であるのか等）、画像データがＤＲＡＭ５００３に展開される。ゲートアレイ５００４とＭＰＵ５００１との間で画像データが記録用の記録信号に変換される。そして、モータドライバ５００６が駆動される共に、ヘッドドライバ５００５に送られた記録信号に従って各記録ヘッドＫ，Ｃ，Ｍ，Ｙが駆動され、記録動作が行われる。
【００３０】
次に本実施の形態におけるインクジェット記録装置によるカスタマバーコード記録方法について図１０を参照しながら説明する。
【００３１】
インターフェース５０００がホストコンピューター（不図示）からカスタマバーコードを含む記録データを受信した場合は、前述した通りＭＰＵ５００１が読み込み、ＤＲＡＭ５００３にカスタマバーコードの画像データを展開し、その画像データに従い記録動作が行われる。
【００３２】
まずバーコードかの判断がステップ１０００１で行なわれ、ＹＥＳであれば、方向判別のステップに行く。図６（ａ）は水平方向にカスタマバーコードを記録する場合、図６（ｂ）は垂直方向にカスタマバーコードを記録する場合のそれぞれのサテライトとバーコードの関係を説明する模式図に示すように、前述したサテライトが発生しない場合においては、カスタマバーコードのバー幅をＸドットで構成すると、バーの長さは３Ｘとして構成すれば理想的なカスタマバーコードが印字されるはずである。しかし実際には、上述したドット構成で水平方向、垂直方向にカスタマバーコードを記録すると、図６（ａ）、（ｂ）に示すようなサテライトがそれぞれ発生する。
【００３３】
ここで、図６中の６０００が前述したサテライト（大きさをαとする）であり、搬送方向に対して不要な画像を形成していることが分かる。すなわち、図６（ａ）に示すように、水平方向にカスタマバーコードを記録する場合は、所望のバーの長さが３Ｘドットであるのに対し、記録結果は３Ｘ＋αドットとなるが、この場合サテライトの形成する画像はバーコードの品質にはさほど大きな影響は与えない。一方、図６（ｂ）に示すように、垂直方向にカスタマバーコードを記録する場合は、所望のバー幅がＸドットであるのに対し、記録結果はＸ＋αドットとなるため、サテライトの形成する画像がカスタマバーコードの品質に大きな影響を与えてしまう。
【００３４】
そこで図７に、本発明の第１の実施の形態に係るカスタマバーコードのドット構成を示す。
【００３５】
本実施の形態では、図７（ｂ）に示すように、サテライトがカスタマバーコードの品質に大きな影響を及ぼす場合、つまり方向判別ステップで、垂直方向でカスタマバーコードを記録する際は、ステップ１０００３で、サテライトが形成する画像を考慮して、１ドット分バー幅の構成を少なくして印字する。それに対し、図７（ａ）に示すように水平方向にカスタマバーコード記録する際には、ステップ１０００５で、サテライトがバーコードサイズに及ぼす影響が少ないため、サテライトの影響を無視してカスタマバーコードを構成する。バーコードでない場合、ステップ10006で文字の印字かの判断がされ、文字の幅に応じて印字を行なう。ステップ10004で印字エンドであれば、処理を終了し、印字終了でなければ、ステップ10002に戻り、印字を再開する。
【００３６】
以上説明したように本発明によれば、ホストコンピューターからの指示されたカスタマバーコードの印字方向（配列方向）によりＤＲＡＭに展開するカスタマバーコードの記録データの構成を、印字する方向に応じて変更することでサテライトが印字品質に及ぼす影響を最小化し、高品位なカスタマバーコード記録を可能にすることが出来る。
【００３７】
（第２の実施の形態）
本実施の形態におけるハードウェア構成は、第１の実施のブロック図を流用して、説明する。本実施の形態のインクジェットプリントにおけるインク滴の吐出プロセスは前述した通りであり、電気熱変換体にパルス信号によるエネルギーを印加することによってインクを発泡させてインク吐出液を得ている。
【００３８】
図８は本実施の形態の記録ヘッドの電気熱変換体に印加されるパルス波形を示す波形図である。（ａ）でまずヘッド駆動回路（ヘッドドライバ）に記録タイミング信号８０００と、記録データが入力される。記録タイミング信号８０００により、（ｂ）において電圧Ｖ１で幅Ｔ１のサブヒートパルス８００１が電気熱変換体１００２に印加される。この時ノズル１０００内の電気熱変換体１００２付近ではインク液滴の噴射に寄与する発泡は起こらない。すなわち、インクの噴射は起こらない。サブヒートパルスはノズル１０００内のインクを加熱し、特にインクの粘度を下げる役割をする。続いて、電圧が０でＴ２時間経過後、電圧Ｖ２で幅Ｔ３のメインヒートパルス８００２が電気熱変換体１００２に印加される。ここで、サブヒートパルス８００１とメインヒートパルス８００２の電圧は等しい。即ち、Ｖ１＝Ｖ２である。また、サブヒートパルス幅８００１よりメインヒートパルス８００２幅は長く、Ｔ１＜Ｔ２である。メインヒートパルス８００２は、印加した電気エネルギーがノズル１０００内で発泡を起こさせ、インクがノズル１０００から噴射するのに十分である電圧と幅である。
【００３９】
図９はサブヒートパルス８００１のパルス幅Ｔ１とインク噴射体積の特性をプロットしたグラフである。図９から解かるように、サブヒートパルス８００１のパルス幅Ｔ１に応じてインク噴射体積が変化する。即ちインク噴射体積は、サテライトを含めた被記録媒体に対するインク染色面積に比例する。
【００４０】
そこで本実施の形態では、垂直方向でカスタマバーコードを記録する場合は、図５のヘッドドライバに図１１に示すような駆動回路５００５ａを設け、記録データを入力し、さらに方向データを入力し、方向データに応じて、図８ｂ又は、図８ｃに示すパルスを発生させるようにする。したがって、垂直方向に記録する場合は、図８（ｃ）に示すように、カスタマバーコードを構成する各バーの先頭ラインのドットを小さく形成する。サブヒートパルス８００１のパルス幅Ｔ１を通常のパルス幅より小さくし、インクの噴射体積を小さくすることで、サテライトを含むインク染色面積を小さくして、印字する。
【００４１】
ここで、先頭ラインとは、バーコードがスペースからバーに切り替わる際の境界位置に配置される記録ドットのラインをいう。
【００４２】
先頭ライン以降は、図８（ｂ）に示すように通常通りのパルス幅Ｔ１で印加する。水平方向に記録する場合は、サテライトがカスタマバーコードに及ぼす影響が少ないため、先頭ラインのドットを形成する際も、図８（ｂ）に示すように通常通りのパルス幅Ｔ１で印加する。
【００４３】
以上説明したように、本発明によれば、垂直方向でカスタマバーコードを記録する場合は、カスタマバーコードの各バーを構成する記録ドットの順番に応じて、電気熱変換体１００２に印加するパルス幅を制御して、インク染色面積を小さくすることで、サテライトが印字品質に及ぼす影響を最小化し、高品位なカスタマバーコード記録を可能にすることが出来る。
【００４４】
なお、以上説明した実施形態では、サブヒートパルス８００１のパルス幅Ｔ１をコントロールしてインク噴射体積を制御したが、本発明はこれに限定されるものではない。例えばメインヒートパルス８００２のパルス幅Ｔ２に応じてインク噴射体積が変化する特性も一般に知られており、その特性を用いて、サテライトが印字品質に及ぼす影響を最小化しても良い。
【００４５】
また、サブヒートパルス８００１とメインヒートパルス８００２間のパルスの休止時間Ｔ２に応じてインク噴射体積が変化する特性も一般に知られており、その特性を用いてサテライトが印字品質に及ぼす影響を最小化しても良い。
【００４６】
（第３の実施の形態）
本実施の形態におけるハードウェア構成は、第１の実施の形態と同様であるため、その説明を省略する。また本実施の形態におけるインク滴の吐出原理は第２の実施の形態と同様であるため、その説明を省略する。
【００４７】
本実施の形態におけるインクジェット記録装置の記録方法を説明する。被記録媒体上の同一個所にインク滴を記録濃度に応じて複数個重ねて記録するいわゆるマルチドロップ方式がすでに一般に広く知られており、本実施の形態におけるインクジェット記録装置も、該記録方式を採用している。
【００４８】
図５を用いて本実施の形態における動作概要を説明する。ホストコンピューター（不図示）の入力部において、ユーザーによって入力された記録データがインターフェース５０００に入ると、制御部により解析され、画像データがＤＲＡＭ５００３に“吐出しない”、‘１回のみ吐出する”、“２回吐出する”として３値化されて展開される。ゲートアレイ５００４とＭＰＵ５００１との間で記録データが記録用の記録信号に変換される。そして、モータドライバ５００６が駆動されると共に、ヘッドドライバ５００５に送られた記録データに従って各記録ヘッドＫ，Ｃ，Ｍ，Ｙが駆動され、記録動作が行われる。その際、記録されているＤＲＡＭの記録データに応じてインク吐出動作は“インクを吐出しない”、“１回のみのインクを吐出する”、“２回インクを吐出する”の３種類に分類される。インクの吐出回数に比例して、記録紙上の記録濃度は濃くなると共に、インク染色面積はインクの吐出回数に比例して広くなる。
【００４９】
そこで本実施の形態では、サテライトがカスタマバーコードの品質に大きな影響を及ぼす場合、即ち垂直方向でカスタマバーコードを記録する際は、サテライトが形成するドット滴を最小にするために、各バーの先頭ラインは、インクを１回のみ吐出することで、インクの染色体積を小さくしてサテライトを含むインク染色面積を小さくする。また先頭ライン以降のラインはインクを２回吐出することで、印字濃度が高く、反射率の高いカスタマバーコードを記録する。一方、水平方向に記録する際には、サテライトがカスタマバーコードに及ぼす影響が少ないため、各バーの先頭ラインも含めて全ラインを形成するには、インクを２回吐出して印字濃度が高く、反射率の高いバーコードを記録する。
【００５０】
以上にように本発明によれば、カスタマバーコードの印字方向（配列方向）により、同一個所に吐出するインクの吐出回数によって印字濃度を制御し、インク染色面積を小さくすることで、サテライトが印字品質に及ぼす影響を最小化し、高品位なバーコード記録を可能にすることが出来る。
【００５１】
（他の実施の形態）
前記実施例は、それぞれ排他的に実施されるだけでなく、例えば、第２の実施例と第３の実施例とを組み合わせて実施することも可能である。また、前記実施例においては、カスタマバーコードについてのみ論じているが、その他各種バーコードでも同様であり、カスタマバーコードに限定されるものではない。
【００５２】
本発明の様々な実施例を説明したが、当業者であれば、本発明の趣旨と範囲は本発明書内の特定の説明と図に限定されるものではなく、本願特許請求の範囲に全て述べられた様々の修正と変更に及ぶことが理解されるであろう。
【図面の簡単な説明】
【００５３】
【図１】（ａ）〜（ｇ）は、本発明の実施の形態に係わるインクジェット記録装置におけるインク吐出プロセスを説明する概略図である。
【図２】本発明の実施の形態に係わるインクジェット記録装置におけるサテライトを説明する概略図である。
【図３】カスタマバーコードを説明する概略図である。
【図４】（ａ）は本発明の実施の形態に係わるインクジェット記録装置の斜視図であり、（ｂ）は本発明の実施の形態に係わるインクジェット記録装置の模式的断面図である。
【図５】本発明の実施の形態に係わるインクジェット記録装置の電気的ブロック図である。
【図６】サテライトとカスタマバーコードの関係を説明する模式図であり、（ａ）は水平方向にバーコードを記録した場合を示し、（ｂ）は垂直方向にバーコードを記録した場合を示す図である。
【図７】本発明の第１の実施の形態に係るカスタマバーコードのドット構成を説明する模式図であり、（ａ）は水平方向にバーコードを記録した場合の実施例を示し、（ｂ）は垂直方向にバーコードを記録した場合の実施例を示す図である。
【図８】（ａ）〜（ｃ）は、本発明の第２の実施の形態に係る電気熱変換体に印加するパルス信号の波形図である。
【図９】本発明の第２の実施の形態に係る電気熱変換体に印加するパルス信号とインクの吐出体積との関係を示すグラフ図である。
【図１０】本発明の第１の実施形態に係るフローチャートである。
【図１１】本発明の第２の実施の形態に係る電気熱変換体に印加するパルス信号の発生回路を示す図である。
【符号の説明】
【００５４】
１０００    ノズル
１００１    インク
１００２    電気熱変換体
１００３    気泡
１００４    インク
１００５    主滴
８０００    記録タイミング信号
８００１    サブヒートパルス
８００２    メインヒートパルス
Ｋ          インクジェット記録ヘッド（ブラック）
Ｃ          インクジェット記録ヘッド（シアン）
Ｍ          インクジェット記録ヘッド（マゼンタ）
Ｙ          インクジェット記録ヘッド（イエロー）
Ｒ          インクカートリッジ
Ｓ          スタッカー
Ｕ          搬送ユニット
Ｐａ        被記録媒体
Ｆ          フィーダーユニット
【図１】
2005022383.tif 000003
【図２】
2005022383.tif 000004
【図３】
2005022383.tif 000005
【図４】
2005022383.tif 000006
【図５】
2005022383.tif 000007
【図６】
2005022383.tif 000008
【図７】
2005022383.tif 000009
【図８】
2005022383.tif 000010
【図９】
2005022383.tif 000011
【図１０】
2005022383.tif 000012
【図１１】
2005022383.tif 000013